(57)【要約】      （修正有）【課題】貯水室を備え、効率良く水で洗い流すことのできる洗浄用具を提供する。【解決手段】蛇腹容器式洗浄用具１００は、側面に伸縮する蛇腹部１を備え、蛇腹容器底面部２には多数の孔を備え、且つ蛇腹容器上面部４には孔を備えない形状をした蛇腹状の部分を有する容器であり、また、内部貯水室５は中空となっている。蛇腹容器式洗浄用具１００を水に浸けた状態で蛇腹容器上面部４を手で押し付けると蛇腹部１が圧縮されて縮み、これを解放すると蛇腹部１の復原力により縮んでいた蛇腹部１が元の状態まで伸びてゆき、このとき蛇腹容器底面部２に設けられた上記の多数の孔を通って内部貯水室５に水が吸い込まれる。内部貯水室５に水が入った状態で、蛇腹容器上面部４を手で押し付けて蛇腹容器底面部２に設けた多数の孔から放水させる。【選択図】図４
0003161308.tif 000002
【実用新案登録請求の範囲】
【請求項１】
側面に伸縮する蛇腹部を備え、底面部に多数の孔を備え、且つ上面部には孔を備えない蛇腹形状の容器、即ち蛇腹容器であることを特徴とする蛇腹容器式洗浄用具。
【請求項２】
多数の孔を設けてある板状体の片側面に毛状体を多数植え付けて形成されるブラシ部を、前記蛇腹容器底面部に接合することを特徴とする請求項１に記載の蛇腹容器式洗浄用具。
【請求項３】
リング状の棒状体である引上部を前記蛇腹部及び前記蛇腹容器上面部を囲む形状で設けて前記蛇腹容器底面部に接合し、前記蛇腹容器の覆いであるカバー部を前記蛇腹部周囲に設け、棒状体である握り部を該引上部の上方を囲む形状で設けて該カバー部の上端に接合し、棒状体であるつなぎ棒部を該握り部及び前記蛇腹容器上面部を互いに接合する形状で設け、更に前記ブラシ部を該カバー部の下端に接合することを特徴とする請求項１に記載の蛇腹容器式洗浄用具。
【請求項４】
棒状体である柄部を前記ブラシ部板状体から延伸する形状で設け、前記蛇腹容器上面部の上に板状体である圧縮板及び該圧縮板から延伸する形状の棒状体であるレバー部を設け、更に該柄部と該レバー部が交差する点を回転軸として相対回転可能に連結することを特徴とする請求項２に記載の蛇腹容器式洗浄用具。
【請求項５】
前記蛇腹容器上面部の上に板状体である圧縮板を設け、更に棒状体である柄部を該圧縮板から延伸する形状で設けることを特徴とする請求項２に記載の蛇腹容器式洗浄用具。
【請求項６】
前記蛇腹容器の覆いである把持部を、前記ブラシ部板状体から上方へ延伸し前記蛇腹部周囲及び前記蛇腹容器上面部の中心付近を除く部分を囲む形状で設け、更に板状体である圧縮板及び押圧用ボタンを前記蛇腹容器上面部の上に設けることを特徴とする請求項２に記載の蛇腹容器式洗浄用具。
【請求項７】
前記ブラシ部において、少なくとも一部にスポンジ部を設けることを特徴とする請求項２乃至請求項６の何れかに記載の蛇腹容器式洗浄用具。
【考案の詳細な説明】
【技術分野】
【０００１】  本考案は、自動車の車体、タイヤ等、家屋の窓ガラス、網戸等、及び犬、猫等のペットなどを手動で洗浄するための洗浄用具において、洗浄作業で洗い流す時に用いる水の供給方法に関するものである。
【背景技術】
【０００２】  従来、自動車の車体や家屋の窓ガラス等を洗浄する場合の手動の方法として、バケツ等の容器に水を汲んでブラシ又はスポンジ等を該容器の水に浸したもので洗う方法、及び水道栓からホースを繋いで被洗浄物までホースを引張って行きホースから水を出しながらブラシ又はスポンジ等で洗う方法がある。また、洗浄用の液体を収容する部分を有し、簡単な操作でブラシやスポンジ等の洗浄部材に液体を供給することのできる洗浄用具（一例として特開２００９−１６０１６８号）、及び蛇腹形状をした液体容器に液体洗剤等を入れ、該液体容器を押圧して液体洗剤等をスポンジ等の清掃部材に送り出し、本体に接続したホースから水を供給して自動車や浴槽等を清掃することのできる清掃装置（特開平１０−９９２５２号）が提案されている。
【先行技術文献】
【特許文献】
【０００３】
【特許文献１】特開平１０−３３２６４号
【特許文献２】特開平１０−９９２５２号
【特許文献３】特開平１１−４７０５７号
【特許文献４】特開２００３−４７７号
【特許文献５】特開２００４−２４８７３０号
【特許文献６】特開２００７−２１６８６２号
【特許文献７】特開２００９−１６０１６８号
【特許文献８】実用新案登録第３０２９６３６号
【特許文献９】実用新案登録第３１３３４４１号
【特許文献１０】実用新案登録第３１４８０９２号
【特許文献１１】実用新案登録第３１４８８６０号
【考案の概要】
【考案が解決しようとする課題】
【０００４】  バケツ等の容器に水を汲んでブラシ又はスポンジ等を該容器の水に浸したもので洗う方法についてはブラシ、スポンジ等が含むことのできる水の量が限られており、洗っているうちに直ぐにブラシ、スポンジ等に水分がなくなり、何度も水に浸し直さなければならずこの浸し直しの作業が腰や腕への負担となる。【０００５】  水道栓からホースを繋いで被洗浄物までホースを引張って行きホースから水を出しながらブラシ又はスポンジ等で洗う方法については、被洗浄物の付近に水道栓がなければならず、ホースも必要となる。また、ホースを引張って行く手間もかかり、少しだけ洗いたい場合などには面倒であり、ホースの長さの範囲内でしか用いることができない。また水が出し放しとなりやすく、節水という観点からも難点が見出される。【０００６】  洗浄用の液体を収容する部分を有し、簡単な操作でブラシやスポンジ等の洗浄部材に液体を供給することのできる洗浄用具については、水ではなく洗剤溶液を収容して用いるものがあり、洗剤溶液の場合は水で洗い流す場合よりも使用する液体の量が少量ですむが、洗剤溶液の代わりに、洗い流すための水を収容して用いることも可能であると考えられ、水で洗い流す場合には水を多量に必要とするため液体収容部分に水を補給し直す必要が生じ、この補給作業の簡便性が求められ、前記先行技術文献で挙げたものにおいては水の補給作業の簡便性に難点が見出される。【０００７】  蛇腹形状をした液体容器に液体洗剤等を入れ、該液体容器を押圧して液体洗剤等をスポンジ等の清掃部材に送り出し、本体に接続したホースから水を供給して自動車や浴槽等を清掃することのできる清掃装置については、ホースを被洗浄物まで引張って行く手間がかかり、少しだけ洗いたい場合などには面倒であり、ホースの長さの範囲内でしか用いることができない。また、装置が複雑であり製造コストがかかるという欠点もある。さらに、蛇腹形状をした液体容器に液体洗剤等の代わりに、洗い流すための水を収容して用いることも可能であると考えられるが、水で洗い流す場合には水を多量に必要とするため液体収容部分に水を補給し直す必要が生じ、蛇腹形状の液体容器に液体を補給するには該液体容器を取り外す必要があり、本考案の蛇腹容器式洗浄用具における水の補給方法とは異なり、水の補給方法の簡便性に難点が見出される。
【課題を解決するための手段】
【０００８】  請求項１に記載の考案は、側面に伸縮する蛇腹部を備え、底面部に多数の孔を備え、且つ上面部には孔を備えない形状の蛇腹部を備えた容器、即ち蛇腹容器であることを特徴とし、内部に水が入った状態の蛇腹容器を洗浄する部分に持ってゆき、蛇腹容器上面部を手で押し付けて孔から水を放出させ洗い流すことで洗浄を行うことを要旨とする蛇腹容器式洗浄用具である。【０００９】  請求項２に記載の考案は、多数の孔を設けてある板状体の片側面に毛状体を多数植え付けて形成されるブラシ部を、前記蛇腹容器底面部に接合することで形成され、前記蛇腹容器上面部を手で押し付けることで前記蛇腹容器内部に吸い込んだ水を該ブラシ部に供給しながら洗浄を行うことを要旨とする請求項１に記載の蛇腹容器式洗浄用具である。【００１０】  請求項３に記載の考案は、リング状の棒状体である引上部を前記蛇腹部及び前記蛇腹容器上面部を囲む形状で設けて前記蛇腹容器底面部に接合し、前記蛇腹容器の覆いであるカバー部を前記蛇腹部周囲に設け、棒状体である握り部を該引上部の上方を囲む形状で設けて該カバー部の上端に接合し、棒状体であるつなぎ棒部を該握り部及び前記蛇腹容器上面部を互いに接合する形状で設け、更に前記ブラシ部を該カバー部の下端に接合することで形成され、該引上部を指先で上に引くことで前記蛇腹容器内部に吸い込んだ水を前記ブラシ部に供給しながら洗浄を行うことを要旨とする請求項１に記載の蛇腹容器式洗浄用具である。【００１１】  請求項４に記載の考案は、棒状体である柄部を前記ブラシ部板状体から延伸する形状で設け、前記蛇腹容器上面部の上に板状体である圧縮板及び該圧縮板から延伸する形状の棒状体であるレバー部を設け、更に該柄部と該レバー部が交差する点を回転軸として相対回転可能に連結することにより形成され、該レバー部を指先で上に引くことで前記蛇腹容器内部に吸い込んだ水を前記ブラシ部に供給しながら洗浄を行うことを要旨とする請求項２に記載の蛇腹容器式洗浄用具である。【００１２】  請求項５に記載の考案は、前記蛇腹容器上面部の上に板状体である圧縮板を設け、更に棒状体である柄部を該圧縮板から延伸する形状で設けることにより形成され、前記蛇腹容器内部に吸い込んだ水を前記ブラシ部に供給しながら該柄部を持って洗浄を行うことを要旨とする請求項２に記載の蛇腹容器式洗浄用具である。【００１３】  請求項６に記載の考案は、前記蛇腹容器の覆いである把持部を、前記ブラシ部板状体から上方へ延伸し前記蛇腹部周囲及び前記蛇腹容器上面部の中心付近を除く部分を囲む形状で設け、更に板状体である圧縮板及び押圧用ボタンを前記蛇腹容器上面部の上に設けることで形成され、前記蛇腹容器内部に吸い込んだ水を該押圧用ボタンを押すことで前記ブラシ部に供給しながら洗浄を行うことを要旨とする請求項２に記載の蛇腹容器式洗浄用具である。【００１４】  請求項７に記載の考案は、前記ブラシ部において、少なくとも一部にスポンジ部を設けることを要旨とする請求項２乃至請求項６の何れかに記載の蛇腹容器式洗浄用具である。
【考案の効果】
【００１５】  請求項１に記載の考案においては、必要な箇所に確実に水を掛けて洗い流すことができ節水を可能とする。【００１６】  請求項２に記載の考案においては、請求項１における考案の効果に加え、通常のブラシで洗浄を行う場合と比較して水を含ませるための浸し直しの作業回数が少ないものとなる。【００１７】  請求項３に記載の考案においては、請求項１及び請求項２における考案の効果に加え、蛇腹容器式洗浄用具から被洗浄物の表面に対し圧力を与えることなく水を放出することができるものとなる。【００１８】  請求項４に記載の考案においては、請求項３における考案の効果に加え、手を直接水に浸すことなく柄部を持って洗浄を行うことができるものとなる。【００１９】  請求項５に記載の考案においては、請求項１及び請求項２における考案の効果に加え、手を直接水に浸すことなく柄部を持って洗浄を行うことができるものとなる。【００２０】  請求項６に記載の考案においては、請求項１及び請求項２における考案の効果に加え、把持部が設けられているため、請求項１又は請求項２に基づく蛇腹容器式洗浄用具と比べ、より確り蛇腹容器式洗浄用具を把持することが可能となる。【００２１】  請求項７に記載の考案においては、前記蛇腹容器内部に吸い込んだ水に補足してスポンジ部にも水を含ませることができ、さらに前記ブラシ部の汚れを掻き取る洗浄効果とスポンジ部の隙間なく磨く洗浄効果を併せ持たせることができる。
【図面の簡単な説明】
【００２２】
【図１】本考案の第１実施形態を示す蛇腹容器式洗浄用具の側面図である。
【図２】同底面図である。
【図３】同平面図である。
【図４】図３のＡ−Ａ線断面図である。
【図５】本考案の第２実施形態を示す蛇腹容器式洗浄用具の側面図である。
【図６】同底面図である。
【図７】図６のＢ−Ｂ線断面図である。
【図８】本考案の第３実施形態を示す蛇腹容器式洗浄用具の平面図である。
【図９】同側面図である。
【図１０】図８のＣ−Ｃ線断面図である。
【図１１】図９のＤ−Ｄ線断面図である。
【図１２】図９のＥ−Ｅ線断面図である。
【図１３】本考案の第４実施形態を示す蛇腹容器式洗浄用具の側面図である。
【図１４】同平面図である。
【図１５】本考案の第５実施形態を示す蛇腹容器式洗浄用具の側面図である。
【図１６】同平面図である。
【図１７】本考案の第６実施形態を示す蛇腹容器式洗浄用具の平面図である。
【図１８】図１７のＦ−Ｆ線断面図である。
【考案を実施するための形態】
【００２３】  以下、図面を参照し、各種の好適な実施形態について本考案を説明する。
【実施例１】
【００２４】  図１、図２、図３及び図４には、本考案の第１実施形態の蛇腹容器式洗浄用具１００を示す。蛇腹容器式洗浄用具１００は請求項１に基づくものであり、蛇腹部１、蛇腹容器底面部２、蛇腹容器底面部孔３、蛇腹容器上面部４、及び内部貯水室５を備えている。【００２５】  蛇腹容器式洗浄用具１００は、側面に伸縮する蛇腹部１を備え、底面部（蛇腹容器底面部２）には多数の孔（蛇腹容器底面部孔３）を備え、且つ上面部（蛇腹容器上面部４）には孔を備えない形状をした蛇腹状の部分を有する容器であり、これを蛇腹容器と呼ぶことにする。また、蛇腹容器の内部（内部貯水室５）は水を溜めるために中空となっている（図４参照）。【００２６】  蛇腹容器式洗浄用具１００を水に浸けた状態で蛇腹容器上面部４を手で押し付けると蛇腹部１が圧縮されて縮み、これを解放すると蛇腹部１の復原力により縮んでいた蛇腹部１が元の状態まで伸びてゆくが、このとき蛇腹容器底面部２に設けられた蛇腹容器底面部孔３を通って内部貯水室５に水が吸い込まれる。【００２７】  内部貯水室５に水が入った状態の蛇腹容器式洗浄用具１００を洗浄する部分に持ってゆき、蛇腹容器上面部４を手で押し付けて蛇腹容器底面部孔３から放水させることで洗い流したい部分を確実に洗い流すことができ節水を可能とする。【００２８】  蛇腹部１は圧縮に対し復原力を持つ必要があり、その復原力の強さは水中で圧縮された状態から水圧に抗して元の状態まで戻るものでなければならない。【００２９】  蛇腹容器底面部２には蛇腹容器底面部孔３が多数設けられるが、該孔の個数と大きさについては、蛇腹部１の復原力の強さ及び放水時の水の勢いの加減により適宜調整して設けるものとする。【００３０】  蛇腹容器式洗浄用具１００における蛇腹容器の大きさは、手で握り持つことのできる程度の大きさが望ましく、蛇腹部１の伸縮方向の高さについては、蛇腹部１の復原力の強さ及び内部貯水室５の容量を勘案して設定する。【００３１】  蛇腹容器の素材としては、ポリエチレン等の合成樹脂、合成ゴム、合成繊維、または動物の皮革などが考えられるが、耐候性が高く且つ弾性を有し、また蛇腹部を形成した場合に復原力の大きいものが望ましい。
【実施例２】
【００３２】  図５、図６及び図７には、本考案の第２実施形態の蛇腹容器式洗浄用具２００を示す。蛇腹容器式洗浄用具２００は請求項２に基づくものであり、蛇腹部１、蛇腹容器底面部２、蛇腹容器底面部孔３、蛇腹容器上面部４、内部貯水室５、ブラシ部板状体６、ブラシ部板状体孔７、及びブラシ部毛状体８を備えている。【００３３】  蛇腹容器式洗浄用具２００は、請求項１に基づく蛇腹容器式洗浄用具を基本として構成されており、前記蛇腹容器にブラシ部を接合して形成されるものである。即ち、孔（ブラシ部板状体孔７）を多数設けてある板状体（ブラシ部板状体６）の片側面に毛状体（ブラシ部毛状体８）を多数植え付けて形成されるブラシ部を、互いの孔（蛇腹容器底面部孔３及びブラシ部板状体孔７）が一致するように蛇腹容器底面部２に接合することで得られるものである（図７参照）。ただし、ブラシ部板状体６を設けずに、蛇腹容器底面部２に直接に毛状体（ブラシ部毛状体８）を植え付けるものであっても構わない。【００３４】  蛇腹容器式洗浄用具２００を水に浸けた状態で蛇腹容器上面部４を手で押し付けて圧縮し解放すると蛇腹部１の復原力により蛇腹部１が元の状態まで伸びてゆき、ブラシ部板状体孔７及び蛇腹容器底面部孔３を通って内部貯水室５に水が吸い込まれる。【００３５】  内部貯水室５に水が入った状態の蛇腹容器式洗浄用具２００を被洗浄物に持ってゆき、蛇腹部１及び蛇腹容器上面部４の付近を把持し、ブラシ部毛状体８を被洗浄物にこすりつけて洗浄を行うが、蛇腹容器上面部４を手で押し付けることで蛇腹部１が圧縮され、孔（蛇腹容器底面部孔３及びブラシ部板状体孔７）から内部貯水室５の水が放出されてブラシ部毛状体８に供給され洗い流すことができる。【００３６】  一定の洗浄作業を行う場合に通常のブラシと蛇腹容器式洗浄用具２００とを比較すると、内部貯水室５に吸い込まれた水がブラシ部毛状体８に供給されるため、ブラシに水を含ませるための浸し直しの作業回数が、蛇腹容器式洗浄用具２００の方がより少ない回数で済むものとなる。【００３７】  図６においては、ブラシ部毛状体８はブラシ部板状体孔７を取り囲む形状で格子状に設けられているが、ブラシ部毛状体８の植毛の形状は任意である。【００３８】  ブラシ部板状体６の素材は、ポリプロピレン等の強度の高い合成樹脂が望ましい。また、ブラシ部毛状体８の素材としては、ポリプロピレン等の合成樹脂、または動植物の毛などが挙げられる。
【実施例３】
【００３９】  図８、図９、図１０、図１１及び図１２には、本考案の第３実施形態の蛇腹容器式洗浄用具３００を示す。蛇腹容器式洗浄用具３００は請求項３に基づくものであり、蛇腹部１、蛇腹容器底面部２、蛇腹容器底面部孔３、蛇腹容器上面部４、内部貯水室５、ブラシ部板状体６、ブラシ部板状体孔７、ブラシ部毛状体８、引上部９、カバー部１０、握り部１１、つなぎ棒部１２、及び圧縮板１３を備えている。【００４０】  蛇腹容器式洗浄用具３００は、請求項１に基づく蛇腹容器式洗浄用具を基本として構成されており、リング状の棒状体である引上部９を蛇腹部１及び蛇腹容器上面部４を囲む形状で設けて蛇腹容器底面部２に接合し、蛇腹部１の周囲を覆う形状でカバー部１０を設け、カバー部１０の上端から棒状体である握り部１１を引上部９の上方を囲む形状で設け、握り部１１及び蛇腹容器上面部４を互いに接合する形状で棒状体であるつなぎ棒部１２を設け、更に前記ブラシ部をカバー部１０の下端に接合することで得られるものである（図９、図１０参照）。ただし、上記接合部分については、予め一体のものとして成型するものであっても構わない。【００４１】  握り部１１を持ち、指先で引上部９を引き上げると前記蛇腹容器は圧縮される。これは、蛇腹容器上面部４はつなぎ棒部１２及び圧縮板１３により押えられており、引上部９は蛇腹容器底面部２と一体に接合されているためである。引上部９を引き上げている指先を解放すると蛇腹部１の復原力により蛇腹部１は元の状態まで伸びてゆき、それと共に引上部９は指先で引き上げた分だけ下方に戻っていく。この作業を、蛇腹容器式洗浄用具３００を水に浸けた状態で行うことで、内部貯水室５に水を吸い込ませることができる。【００４２】  内部貯水室５に水が入った状態の蛇腹容器式洗浄用具３００を被洗浄物に持ってゆき、握り部１１を把持し、ブラシ部毛状体８を被洗浄物にこすりつけて洗浄を行うが、引上部９を指先で引き上げることで蛇腹部１が圧縮され、孔（蛇腹容器底面部孔３及びブラシ部板状体孔７）から内部貯水室５の水が放出されてブラシ部毛状体８に供給され洗い流すことができる。【００４３】  一定の洗浄作業を行う場合に通常のブラシと蛇腹容器式洗浄用具３００とを比較すると、内部貯水室５に吸い込まれた水がブラシ部毛状体８に供給されるため、ブラシに水を含ませるための浸し直しの作業回数が、蛇腹容器式洗浄用具３００の方がより少ない回数で済むものとなる。【００４４】  また、蛇腹容器式洗浄用具１００及び蛇腹容器式洗浄用具２００とは異なり、蛇腹容器式洗浄用具３００から被洗浄物の表面に対し圧力を与えることなく内部貯水室５の水を放出することができる。これは、引上部９を上方に引くことで水を放出する構造となっているためである。【００４５】  圧縮板１３は蛇腹容器上面部４の上に設けられ、引上部９を引き上げた時につなぎ棒部１２から掛かる力を蛇腹容器上面部４に伝えるためのものであるが、蛇腹容器上面部４の強度が十分ある場合には、圧縮板１３を介さずにつなぎ棒部１２と蛇腹容器上面部４とを直接に繋ぐものであっても構わない。【００４６】  つなぎ棒部１２は蛇腹容器上面部４と握り部１１とを繋ぐものである。蛇腹容器式洗浄用具３００におい��は、握り部１１と蛇腹容器上面部４とを結ぶ線が引上部９と交わる位置につなぎ棒部１２が設けられているため、引上部９に貫通孔を設け該貫通孔を通す形状でつなぎ棒部１２を設けてある（図１０、図１１参照）。ただし、握り部１１と蛇腹容器上面部４とを結ぶ線が引上部９と交わらない位置につなぎ棒部１２を設けるものであっても構わない。【００４７】  引上部９、カバー部１０、握り部１１、つなぎ棒部１２、及び圧縮板１３の素材は、ポリプロピレン等の強度の高い合成樹脂が望ましい。
【実施例４】
【００４８】  図１３及び図１４には、本考案の第４実施形態の蛇腹容器式洗浄用具４００を示す。蛇腹容器式洗浄用具４００は請求項４に基づくものであり、蛇腹部１、蛇腹容器底面部２、蛇腹容器底面部孔３、蛇腹容器上面部４、内部貯水室５、ブラシ部板状体６、ブラシ部板状体孔７、ブラシ部毛状体８、圧縮板１３、柄部１４、レバー部１５、及び回転軸１６を備えている。【００４９】  蛇腹容器式洗浄用具４００は請求項２に基づく蛇腹容器式洗浄用具を基本として構成されており、棒状体である柄部１４を、ブラシ部板状体６から延伸しブラシ部板状体６と一体である形状で設け、蛇腹容器上面部４の上に板状体である圧縮板１３及び圧縮板１３から延伸し圧縮板１３と一体である形状の棒状体であるレバー部１５を設け、更に柄部１４とレバー部１５が交差する点を回転軸１６として相対回転可能に連結することで形成される。ただし、レバー部１５から加わる圧縮力を蛇腹部１に十分に伝えることができる程度の強度を蛇腹容器上面部４が有する場合には、圧縮板１３は必ずしも設ける必要はない。【００５０】  柄部１４を把持し、蛇腹容器式洗浄用具４００の先端部分（前記蛇腹容器及び前記ブラシ部）を水に浸けた状態でレバー部１５を指先で引くと、レバー部１５と一体となった圧縮板１３が蛇腹容器上面部４を圧縮し、蛇腹部１が縮んだ状態となる。レバー部１５を解放すると蛇腹部１の復原力により蛇腹部１が元の状態まで伸びてゆき、ブラシ部板状体孔７及び蛇腹容器底面部孔３を通って内部貯水室５に水が吸い込まれる。【００５１】  内部貯水室５に水が入った状態の蛇腹容器式洗浄用具４００を、柄部１４を把持して被洗浄物に持ってゆき、ブラシ部毛状体８を被洗浄物にこすりつけて洗浄を行うが、レバー部１５を指先で引き上げることで蛇腹部１が圧縮され、孔（蛇腹容器底面部孔３及びブラシ部板状体孔７）から内部貯水室５の水が放出されてブラシ部毛状体８に供給され洗い流すことができる。【００５２】  一定の洗浄作業を行う場合に通常のブラシと蛇腹容器式洗浄用具４００とを比較すると、内部貯水室５に吸い込まれた水がブラシ部毛状体８に供給されるため、ブラシに水を含ませるための浸し直しの作業回数が、蛇腹容器式洗浄用具４００の方がより少ない回数で済むものとなる。【００５３】  また、蛇腹容器式洗浄用具１００及び蛇腹容器式洗浄用具２００とは異なり、被洗浄物の表面に対し蛇腹容器式洗浄用具４００から圧力を与えることなく内部貯水室５の水を放出することができる。これは、レバー部１５を上方に引くことで水を放出する構造となっているためである。【００５４】  柄部１４、レバー部１５、及び回転軸１６の素材は、ポリプロピレン等の強度の高い合成樹脂が望ましい。
【実施例５】
【００５５】  図１５及び図１６には、本考案の第５実施形態の蛇腹容器式洗浄用具５００を示す。蛇腹容器式洗浄用具５００は請求項５に基づくものであり、蛇腹部１、蛇腹容器底面部２、蛇腹容器底面部孔３、蛇腹容器上面部４、内部貯水室５、ブラシ部板状体６、ブラシ部板状体孔７、ブラシ部毛状体８、圧縮板１３、及び柄部１４を備えている。【００５６】  蛇腹容器式洗浄用具５００は請求項２に基づく蛇腹容器式洗浄用具を基本として構成されており、蛇腹容器上面部４の上に板状体である圧縮板１３を設け、更に棒状体である柄部１４を、圧縮板１３から延伸し圧縮板１３と一体である形状で設けることで形成される。ただし、柄部１４から加わる圧縮力を蛇腹部１に十分に伝えることができる程度の強度を蛇腹容器上面部４が有する場合には、圧縮板１３は必ずしも設ける必要はない。【００５７】  柄部１４を把持し、蛇腹容器式洗浄用具５００の先端部分（前記蛇腹容器及び前記ブラシ部）をバケツ等の容器に汲んだ水に浸け、バケツ等の容器の内壁部にブラシ部毛状体８を押し付けて蛇腹部１を圧縮し、そして解放することで蛇腹部１の復原力により蛇腹部１が元の状態まで伸びてゆき、ブラシ部板状体孔７及び蛇腹容器底面部孔３を通って内部貯水室５に水が吸い込まれる。【００５８】  内部貯水室５に水が入った状態の蛇腹容器式洗浄用具５００を、柄部１４を把持して被洗浄物に持ってゆき、ブラシ部毛状体８を被洗浄物にこすりつけて洗浄を行うが、洗浄作業に伴い圧縮板１３から蛇腹部１に対し圧縮力が加わり、内部貯水室５の水が孔（蛇腹容器底面部孔３及びブラシ部板状体孔７）から徐々に放出されてブラシ部毛状体８に供給されることになる。【００５９】  一定の洗浄作業を行う場合に通常のブラシと蛇腹容器式洗浄用具５００とを比較すると、内部貯水室５に吸い込まれた水がブラシ部毛状体８に供給されるため、ブラシに水を含ませるための浸し直しの作業回数が、蛇腹容器式洗浄用具５００の方がより少ない回数で済むものとなる。
【実施例６】
【００６０】  図１７及び図１８には、本考案の第６実施形態の蛇腹容器式洗浄用具６００を示す。蛇腹容器式洗浄用具６００は請求項６に基づくものであり、蛇腹部１、蛇腹容器底面部２、蛇腹容器底面部孔３、蛇腹容器上面部４、内部貯水室５、ブラシ部板状体６、ブラシ部板状体孔７、ブラシ部毛状体８、圧縮板１３、把持部側面１７、把持部上面１８、及び押圧用ボタン１９を備えている。【００６１】  蛇腹容器式洗浄用具６００は、請求項２に基づく蛇腹容器式洗浄用具を基本として構成されており、請求項２に基づく蛇腹容器式洗浄用具の上部に圧縮板１３及び押圧用ボタン１９を設け、更に蛇腹部１の周囲を把持部（把持部側面１７及び把持部上面１８）で取り囲んだ形状となっている。即ち、前記蛇腹容器の覆いである把持部（把持部側面１７及び把持部上面１８）を、ブラシ部板状体６から上方へ延伸しブラシ部板状体６と一体である形状で、蛇腹部１周囲及び蛇腹容器上面部４の中心付近を除く部分を囲む形状で設け、更に板状体である圧縮板１３及び押圧用ボタン１９を蛇腹容器上面部４の上に設けることで形成される。ただし、押圧用ボタン１９から加わる圧縮力を蛇腹部１に十分に伝えることができる程度の強度を蛇腹容器上面部４が有する場合には、圧縮板１３は必ずしも設ける必要はない。【００６２】  把持部（把持部側面１７及び把持部上面１８）を把持し、蛇腹容器式洗浄用具６００を水に浸けて押圧用ボタン１９を押し付けると蛇腹部１が圧縮され、これを解放することで蛇腹部１の復原力により蛇腹部１が元の状態まで伸びてゆき、ブラシ部板状体孔７及び蛇腹容器底面部孔３を通って内部貯水室５に水が吸い込まれる。【００６３】  内部貯水室５に水が入った状態の蛇腹容器式洗浄用具６００を、把持部（把持部側面１７及び把持部上面１８）を把持して被洗浄物に持ってゆき、ブラシ部毛状体８を被洗浄物にこすりつけて洗浄を行うが、押圧用ボタン１９を指先又は掌で押すことで蛇腹部１が圧縮され、孔（蛇腹容器底面部孔３及びブラシ部板状体孔７）から内部貯水室５の水が放出されてブラシ部毛状体８に供給され洗い流すことができる。【００６４】  一定の洗浄作業を行う場合に通常のブラシと蛇腹容器式洗浄用具６００とを比較すると、内部貯水室５に吸い込まれた水がブラシ部毛状体８に供給されるため、ブラシに水を含ませるための浸し直しの作業回数が、蛇腹容器式洗浄用具６００の方がより少ない回数で済むものとなる。【００６５】  把持部（把持部側面１７及び把持部上面１８）及び押圧用ボタン１９の素材としては、ポリプロピレン等の強度の高い合成樹脂が望ましい。
【その他の実施例】
【００６６】  請求項７に基づき、実施例２乃至実施例６に示した蛇腹容器式洗浄用具において、ブラシ部毛状体８の一部又は全部を、海綿状の吸水性を持つスポンジ部とする形態が挙げられる。
【符号の説明】
【００６７】  １：蛇腹部
２：蛇腹容器底面部
３：蛇腹容器底面部孔
４：蛇腹容器上面部
５：内部貯水室
６：ブラシ部板状体
７：ブラシ部板状体孔
８：ブラシ部毛状体
９：引上部
１０：カバー部
１１：握り部
１２：つなぎ棒部
１３：圧縮板
１４：柄部
１５：レバー部
１６：回転軸
１７：把持部側面
１８：把持部上面
１９：押圧用ボタン
【図１】
0003161308.tif 000003
【図２】
0003161308.tif 000004
【図３】
0003161308.tif 000005
【図４】
0003161308.tif 000006
【図５】
0003161308.tif 000007
【図６】
0003161308.tif 000008
【図７】
0003161308.tif 000009
【図８】
0003161308.tif 000010
【図９】
0003161308.tif 000011
【図１０】
0003161308.tif 000012
【図１１】
0003161308.tif 000013
【図１２】
0003161308.tif 000014
【図１３】
0003161308.tif 000015
【図１４】
0003161308.tif 000016
【図１５】
0003161308.tif 000017
【図１６】
0003161308.tif 000018
【図１７】
0003161308.tif 000019
【図１８】
0003161308.tif 000020